(57)【特許請求の範囲】
【請求項１】
エレベータのかごと、
前記かごの上方に配置された上枠と、
前記上枠の上方に配置された手摺と、
前記上枠に設けられ、前記手摺を前記かごの上で折り畳み可能に取り付けることができる形状を有する既設支持具と、
前記手摺を前記かごの上で折り畳み可能に支持する新設支持具と、
前記上枠に載せられた受け台と、
前記受け台及び前記既設支持具の周囲を囲むように配置され、前記受け台の水平方向の動きを拘束する第１拘束具と、
前記上枠のうち前記既設支持具が設けられた部分及び前記受け台の上下を囲むように配置され、前記受け台の垂直方向の動きを拘束する第２拘束具と、
前記受け台又は前記第２拘束具に設けられ、前記新設支持具が設けられた嵩上げ具と、
を備えたエレベータのかご装置。
【請求項２】
前記既設支持具、前記受け台、前記第１拘束具及び前記第２拘束具を貫通する締結具を更に備えた請求項１に記載のエレベータのかご装置。
【請求項３】
前記第２拘束具は、第１押え板及び第２押え板を備え、
前記第１押え板は、
前記受け台に上方から対向し、端部が前記受け台より前記かご側に突出する上部と、
前記上枠に側方から対向する中間部と、
前記上枠に下方から対向し、端部が前記上枠より前記かご側に突出する下部と、
を備え、
前記第２押え板は、前記上枠に前記中間部の反対側から対向し、前記上部の端部と前記下部の端部とに固定された
請求項１又は請求項２に記載のエレベータのかご装置。
【請求項４】
前記嵩上げ具は、
前記受け台から上方に延びる第１支持板及び第２支持板と、
前記第１支持板及び前記第２支持板に設けられ、前記新設支持具が設けられた支持台と、
を備え、
前記第１支持板及び前記第２支持板の間に、前記第２拘束具の一部が配置された
請求項１から請求項３の何れか一項に記載のエレベータのかご装置。
【請求項５】
前記第２拘束具は、一部が前記受け台に上方から対向し、
前記嵩上げ具は、
前記一部から上方に延びる第１支持板及び第２支持板と、
前記第１支持板及び前記第２支持板に設けられ、前記新設支持具が設けられた支持台と、
を備え、
前記受け台は、
前記一部が上方から対向する受け部と、
前記受け部から上方に延びる第１規制部及び第２規制部と、
を備え、
前記第１規制部及び前記第２規制部の間に、前記一部、前記第１支持板の下端部及び前記第２支持板の下端部が配置された
請求項１から請求項３の何れか一項に記載のエレベータのかご装置。
【請求項６】
前記支持台は、前記第１支持板及び前記第２支持板に対して複数の高さに取り付け可能である請求項４又は請求項５に記載のエレベータのかご装置。
【請求項７】
前記新設支持具は、前記既設支持具の直上に配置された請求項１から請求項６の何れか一項に記載のエレベータのかご装置。
【発明の詳細な説明】
【技術分野】
【０００１】
この発明は、エレベータのかご装置に関する。
【背景技術】
【０００２】
特許文献１に、エレベータのかご装置が記載されている。特許文献１に記載されたかご装置は、かごの上に手摺が設けられる。手摺は、かごの上方に配置されたかご枠の上枠に支持される。
【先行技術文献】
【特許文献】
【０００３】
【特許文献１】国際公開第２００７／０３２０８０号
【発明の概要】
【発明が解決しようとする課題】
【０００４】
エレベータでは、リニューアル工事がしばしば行われる。この工事により、かごの上に空調機等の機器が後から追加されることがある。かごの上に後から追加する機器が上枠より上方に突出すると、手摺をかご上で折り畳んだ際に手摺が追加機器に接触してしまう。
【０００５】
従来では、追加機器と手摺との接触を防止するため、上枠と同じような形状の枠体を用意していた。そして、用意した枠体を上枠に固定し、上枠の上に配置された枠体に手摺を取り付けていた。しかし、このような取り付け方法では、既設の上枠に孔開け等の追加工事が発生してしまう。また、枠体が大きく、搬入及び取り付けに手間が掛かるといった問題があった。
【０００６】
この発明は、上述のような課題を解決するためになされた。この発明の目的は、簡単な構成及び簡単な作業によって、かごの上に設けられた追加機器に接触しないように手摺を配置できるエレベータのかご装置を提供することである。
【課題を解決するための手段】
【０００７】
この発明に係るエレベータのかご装置は、エレベータのかごと、かごの上方に配置された上枠と、上枠の上方に配置された手摺と、上枠に設けられ、手摺をかごの上で折り畳み可能に取り付けることができる形状を有する既設支持具と、手摺をかごの上で折り畳み可能に支持する新設支持具と、上枠に載せられた受け台と、受け台及び既設支持具の周囲を囲むように配置され、受け台の水平方向の動きを拘束する第１拘束具と、上枠のうち既設支持具が設けられた部分及び受け台の上下を囲むように配置され、受け台の垂直方向の動きを拘束する第２拘束具と、受け台又は第２拘束具に設けられ、新設支持具が設けられた嵩上げ具と、を備える。
【発明の効果】
【０００８】
この発明に係るエレベータのかご装置であれば、簡単な構成及び簡単な作業によって、かごの上に設けられた追加機器に接触しないように手摺を配置できる。
【図面の簡単な説明】
【０００９】
【図１】この発明の実施の形態１におけるエレベータのかご装置の例を示す側面図である。
【図２】リニューアル工事される前のかご装置を示す側面図である。
【図３】図１のＢ部の詳細を示す図である。
【図４】図３をＤ方向から見た図である。
【図５】図２に示すかご装置から手摺が取り外された状態を示す側面図である。
【図６】図２に示すかご装置から手摺が取り外された状態を示す平面図である。
【図７】嵩上げ装置の組み立て手順を説明するための図である。
【図８】嵩上げ装置の組み立て手順を説明するための図である。
【図９】嵩上げ装置の組み立て手順を説明するための図である。
【図１０】嵩上げ装置の組み立て手順を説明するための図である。
【図１１】嵩上げ装置の組み立て手順を説明するための図である。
【図１２】嵩上げ装置の組み立て手順を説明するための図である。
【図１３】嵩上げ装置の組み立て手順を説明するための図である。
【図１４】嵩上げ装置の組み立て手順を説明するための図である。
【図１５】嵩上げ装置の組み立て手順を説明するための図である。
【図１６】嵩上げ装置の組み立て手順を説明するための図である。
【図１７】嵩上げ装置の組み立て手順を説明するための図である。
【図１８】嵩上げ装置の組み立て手順を説明するための図である。
【図１９】嵩上げ装置の他の例を示す図である。
【図２０】嵩上げ装置の他の例を示す図である。
【図２１】嵩上げ装置の他の例を示す図である。
【図２２】嵩上げ装置の他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１におけるエレベータのかご装置の例を示す側面図である。エレベータのかご装置は、例えばかご１、かご戸２、駆動装置３、かご枠４、手摺９、既設支持具１０、新設支持具１１及び嵩上げ装置１２を備える。
【００１２】
かご１は、エレベータの利用者が乗る部分である。かご戸２は、かご１に形成された出入口を開閉する。かご戸２は、駆動装置３によって駆動される。
【００１３】
かご１は、かご枠４に支持される。かご枠４は、例えば下枠５、一対の側枠６及び上枠７を備える。下枠５は、かご１の下方に配置される。下枠５は、かご１を下方から支持する。下枠５は、側枠６の下端部に固定される。側枠６は、かご１の両側に配置される。上枠７は、かご１の上方に配置される。上枠７は、側枠６の上端部に固定される。駆動装置３は、上枠７に支持される。駆動装置３と上枠７とは、上方から見てかご１の縁に沿うように配置される。
【００１４】
以下の説明では、かご１に乗り込む利用者の向きを基準にして水平方向の向きを特定する。例えば、図１の矢印Ａに示す向きは前後方向である。図１の紙面に直交する向きは左右方向である。かご枠４は、かご１の上下及び左右を囲むように配置される。
【００１５】
図１は、かご１の上に機器８が設置される例を示す。機器８は、例えば空調機等の機器である。機器８は、かご枠４の上枠７より上方に突出する。機器８は、例えばかご装置のリニューアル工事が行われた際に追加された追加機器である。
【００１６】
図２は、リニューアル工事される前のかご装置を示す側面図である。リニューアル工事される前のかご装置は、機器８を備えていない。また、手摺９は、既設支持具１０に取り付けられる。既設支持具１０は、かご枠４の上枠７に設けられる。例えば、既設支持具１０は、上枠７の上面に溶接によって固定される。リニューアル工事される前のかご装置では、手摺９は、上枠７の上で折り畳み可能となるように既設支持具１０に支持される。図２は、手摺９が上枠７の上で組み立てられた状態を示す。手摺９が折り畳まれると、左右の手摺９が上枠７の上に積み重ねられるように配置される。このため、かご１の上に機器８が設置されると、手摺９が既設支持具１０に支持されたままでは手摺９が機器８に接触してしまう。
【００１７】
図１に示すかご装置では、手摺９は、新設支持具１１に設けられる。手摺９は、例えばリニューアル工事の前からかご装置に備えられていたものが流用される。新設支持具１１は、既設支持具１０と同様に、手摺９をかご１の上で折り畳み可能に取り付けることができる形状を有する。即ち、新設支持具１１は、かご１の上で手摺９を折り畳み可能に支持する。図１に示されていないが、新設支持具１１は、既設支持具１０の直上に配置される。既設支持具１０は、上枠７に固定されたままである。新設支持具１１を既設支持具１０の上方に配置するため、かご装置に嵩上げ装置１２が備えられる。嵩上げ装置１２が備えられることにより、手摺９は、かご枠４の上枠７の上方で、図２に示す位置より高い位置に配置される。このため、手摺９が折り畳まれても、手摺９は機器８に接触しない。以下に、図３から図１８も参照し、嵩上げ装置１２の構成及び組み立て手順について詳細に説明する。
【００１８】
図３は、図１のＢ部の詳細を示す図である。図３は、図１のＢ部をＣ方向から見た図である。図３において、矢印Ｅが示す向きは左右方向である。図４は、図３をＤ方向から見た図である。嵩上げ装置１２は、例えば受け台１３、拘束具１４、拘束具１５、締結具２３及び嵩上げ具２６を備える。
【００１９】
受け台１３は、手摺９がかご１の上で組み立てられた際に手摺９の荷重を支持する。拘束具１４は、受け台１３の水平方向の動きを拘束する。拘束具１４は、例えば受け台１３及び既設支持具１０の周囲を囲むように配置される。本実施の形態に示す例では、拘束具１４は、受け台１３及び既設支持具１０の前後及び左右を囲む。これにより、既設支持具１０を利用して受け台１３の水平方向の動きを拘束する。
【００２０】
拘束具１５は、受け台１３の垂直方向の動きを拘束する。拘束具１５は、例えば上枠７のうち既設支持具１０が設けられた部分及び受け台１３の上下を囲むように配置される。本実施の形態に示す例では、拘束具１５は、上枠７の上記部分と受け台１３との上下及び左右を囲む。これにより、上枠７を利用して受け台１３の上下方向の動きを拘束する。本実施の形態では、拘束具１５が押え板１６、押え板１７、ボルト１９及び２０並びにナット２１及び２２を備える例を示す。
【００２１】
締結具２３は、拘束具１４及び拘束具１５を既設支持具１０に締結する。本実施の形態では、締結具２３がボルト２４及びナット２５を備える例を示す。
【００２２】
嵩上げ具２６は、新設支持具１１を手摺９の高さに合わせて配置するためのものである。嵩上げ具２６に新設支持具１１が設けられる。嵩上げ具２６は、例えば拘束具１５に設けられる。本実施の形態に示す例では、嵩上げ具２６は押え板１６に設けられる。本実施の形態では、嵩上げ具２６が支持板２７、支持板２８、支持台２９、ボルト３０及び３１並びにナット３２及び３３を備える例を示す。
【００２３】
図５は、図２に示すかご装置から手摺９が取り外された状態を示す側面図である。図６は、図２に示すかご装置から手摺９が取り外された状態を示す平面図である。嵩上げ装置１２を取り付けるため、先ず、手摺９が既設支持具１０から取り外される。
【００２４】
上枠７には、複数の既設支持具１０が設けられる。図６は、４個の既設支持具１０が上枠７に設けられた例を示す。嵩上げ装置１２は、それぞれの既設支持具１０に対応する位置に取り付けられる。図６に示す例であれば、上枠７に４個の嵩上げ装置１２が取り付けられる。以下に、嵩上げ装置１２を組み立てる手順について詳しく説明する。図７から図１８は、嵩上げ装置１２の組み立て手順を説明するための図である。
【００２５】
先ず、図７及び図８に示すように、手摺９が取り外された既設支持具１０に拘束具１４を嵌める。本実施の形態に示す例では、拘束具１４は直方体形状である。拘束具１４は、例えばアルミダイキャストである。拘束具１４に、上下に貫通する四角形状の貫通孔１４ａと貫通孔１４ａに直交する四角形状の貫通孔１４ｂとが形成される。貫通孔１４ａは、既設支持具１０の外形に合わせてその形状及び大きさが設定される。拘束具１４は、既設支持具１０が貫通孔１４ａを貫通するように既設支持具１０の上方から既設支持具１０に嵌められる。また、既設支持具１０には、手摺９を取り付けるための長孔１０ａが形成されている。拘束具１４は、貫通孔１４ｂの一部が長孔１０ａに対向するように配置される。
【００２６】
次に、図９及び図１０に示すように、拘束具１４の貫通孔１４ａに受け台１３を挿入し、受け台１３を上枠７に載せる。図１１は受け台１３を示す正面図である。図１２は受け台１３を示す側面図である。受け台１３は、例えば受け部３４、脚部３５、規制部３６ａ及び規制部３６ｂを備える。
【００２７】
受け部３４は、例えば板状の部材からなる。脚部３５は、受け部３４の下面に設けられ、受け部３４から下方に延びる。脚部３５は、拘束具１４の貫通孔１４ａに挿入される部分である。脚部３５は、既設支持具１０の内側に形成された空間に配置される。拘束具１４の貫通孔１４ａに挿入された脚部３５は、下端が上枠７の上面に接触する。受け部３４は、脚部３５によって支持される。脚部３５に、貫通孔３５ａが形成される。脚部３５が拘束具１４の貫通孔１４ａに挿入されると、貫通孔３５ａは、貫通孔１４ｂ及び長孔１０ａに対して一直線状に配置される。
【００２８】
規制部３６ａ及び規制部３６ｂは、例えば板状の部材からなる。規制部３６ａは、受け部３４に設けられ、受け部３４の縁から上方に延びる。規制部３６ａは、受け部３４の縁のうち貫通孔３５ａの軸方向に沿う一方の縁に設けられる。規制部３６ｂは、受け部３４に設けられ、受け部３４の縁から上方に延びる。規制部３６ｂは、受け部３４の縁のうち貫通孔３５ａの軸方向に沿うもう一方の縁に設けられる。規制部３６ａ及び規制部３６ｂは、受け部３４の上方で互いに対向するように配置される。
【００２９】
図１０は、脚部３５が貫通孔１４ａに挿入され、受け台１３が上枠７に載せられた状態を示す。図１０に示す状態では、受け部３４が既設支持具１０及び拘束具１４の上方に配置される。拘束具１４は、既設支持具１０と既設支持具１０の内側に配置された受け台１３の脚部３５との前後及び左右を囲むように配置される。
【００３０】
次に、図１３及び図１４に示すように拘束具１５を取り付け、拘束具１５によって受け台１３の動きを拘束する。本実施の形態では、嵩上げ具２６の一部が拘束具１５の一部と一体化された例を示す。図１５は、拘束具１５の押え板１６と嵩上げ具２６の支持板２７及び２８とを示す図である。図１６は、拘束具１５の押え板１７を示す図である。
【００３１】
押え板１６は、例えばコの字形状の板状の部材からなる。押え板１６は、端部がかご１側を向くように配置され、図１０に示す組み立て部分に側方から嵌められる。押え板１６の上部３７は、受け台１３の受け部３４の上方に配置される。上部３７は、受け部３４に上方から対向する。上部３７の端部は、受け台１３よりかご１側に突出する。押え板１６の下部３８は、上枠７の下方に配置される。下部３８は、上枠７のうち既設支持具１０が設けられた部分に下方から対向する。下部３８の端部は、上枠７よりかご１側に突出する。
【００３２】
押え板１６の中間部３９は、拘束具１４及び上枠７に側方から対向する。本実施の形態では、押え板１６が当て板１８を備える例を示す。当て板１８は、拘束具１４の側面と上枠７の側面との段差に合わせた厚みを有する。当て板１８は、拘束具１４より下方で上枠７に側方から対向する。
【００３３】
押え板１７は、例えば押え板１６より小さいコの字形状の板状の部材からなる。押え板１７は、端部がかご１側を向くように配置され、押え板１６の開口を塞ぐように押え板１６の内側に配置される。押え板１７の上部４０は、受け台１３よりかご１側で、上部３７の下方に配置される。上部４０は、上部３７の端部に下方から対向する。押え板１７の下部４１は、上枠７よりかご１側で、下部３８の上方に配置される。下部４１は、下部３８の端部に上方から対向する。
【００３４】
押え板１７の中間部４２は、拘束具１４及び上枠７に側方から対向する。中間部４２は、拘束具１４及び上枠７に対して押え板１６の中間部３９の反対側から対向する。即ち、拘束具１４及び上枠７は、押え板１６の中間部３９と押え板１７の中間部４２との間に配置される。押え板１７は、上部４０がボルト１９及びナット２１を用いて押え板１６の上部３７の端部に固定される。押え板１７は、下部４１がボルト２０及びナット２２を用いて押え板１６の下部３８の端部に固定される。
【００３５】
次に、締結具２３を取り付け、拘束具１４及び拘束具１５を既設支持具１０と一体化させる。図１３及び図１４は、ボルト２４及びナット２５が取り付けられた状態を示す。ボルト２４は、受け台１３、既設支持具１０、拘束具１４及び拘束具１５を貫通し、拘束具１５を外側から挟み込む。具体的に、ボルト２４は、受け台１３の脚部３５、既設支持具１０、拘束具１４、拘束具１５の押え板１６の中間部３９及び押え板１７の中間部４２を貫通する。
【００３６】
次に、嵩上げ具２６を取り付けて新設支持具１１の高さを調節する。上述したように、本実施の形態に示す例では、嵩上げ具２６の一部が拘束具１５の押え板１６と一体化されている。このため、押え板１６を押え板１７に固定することにより、嵩上げ具２６の支持板２７及び支持板２８が適切な位置に配置される。
【００３７】
図１５に示すように、支持板２７及び支持板２８は、例えば板状の部材からなる。支持板２７は、下端部が押え板１６の上部３７に設けられる。支持板２７は、上部３７の縁から直立するように配置される。支持板２８は、下端部が押え板１６の上部３７に設けられる。支持板２８は、上部３７の縁から直立するように配置される。支持板２７及び支持板２８は、例えば互いに対向するように平行に配置される。
【００３８】
押え板１６が図１３及び図１４に示すように押え板１７に固定されると、支持板２７は、受け台１３の受け部３４の上に配置される。支持板２７は、押え板１６の上部３７のうち受け部３４の上に配置された部分から上方に延びる。また、支持板２７は、下端部が受け台１３の規制部３６ａに対向する。押え板１６が図１３及び図１４に示すように押え板１７に固定されると、支持板２８は、受け台１３の受け部３４の上に配置される。支持板２８は、押え板１６の上部３７のうち受け部３４の上に配置された部分から上方に延びる。また、支持板２８は、下端部が受け台１３の規制部３６ｂに対向する。押え板１６が押え板１７に固定されることにより、規制部３６ａ及び規制部３６ｂの間に押え板１６の上部３７、支持板２７の下端部及び支持板２８の下端部が配置される。
【００３９】
図１７及び図１８は、支持台２９が支持板２７及び支持板２８に設けられた状態を示す。支持台２９は、例えばコの字形状の板状の部材からなる。支持台２９は、開口が下を向くように配置される。支持台２９は、一方の端部がボルト３０及びナット３２を用いて支持板２７に固定される。支持台２９は、もう一方の端部がボルト３１及びナット３３を用いて支持板２８に固定される。新設支持具１１は、支持台２９に設けられる。例えば、新設支持具１１は、支持台２９の上面に溶接によって固定される。
【００４０】
本実施の形態に示すかご装置であれば、簡単な構成及び簡単な作業によって、かご１の上に設けられた機器８に接触しないように手摺９を配置することができる。
【００４１】
本実施の形態に示す例では、受け台１３の水平方向及び垂直方向の動きが拘束具１４及び拘束具１５によって拘束される。このため、手摺９の荷重を受ける受け台１３を強固に固定することができる。また、締結具２３を使用することにより、受け台１３を更に強固に固定できる。
【００４２】
嵩上げ具２６は、新設支持具１１の高さを調節できるように構成しても良い。例えば、図１５に示すように、支持板２７に複数の取付孔２７ａが形成される。支持板２８に複数の取付孔２８ａが形成される。支持台２９を支持板２７及び支持板２８に対して複数の高さに取り付けることができ、追加する機器８の高さに合わせて新設支持具１１を配置できる。また、図１４に示すように、取付孔２７ａ及び２８ａの横に高さを示す目盛り４３を付しても良い。支持台２９を取り付ける際に目盛り４３を利用すれば、作業を容易に行うことができる。
【００４３】
図１９及び図２０は、嵩上げ装置１２の他の例を示す図である。図１９は、図１３に相当する図である。図２０は、図１４に相当する図である。図１９及び図２０に示す例では、嵩上げ具２６が受け台１３に設けられる。図１９及び図２０は、嵩上げ具２６の一部が受け台１３に一体化された例を示す。
【００４４】
支持板２７及び支持板２８は、例えば板状の部材からなる。支持板２７は、下端部が受け台１３の受け部３４に設けられる。支持板２７は、受け部３４の縁から直立するように配置される。例えば、支持板２７は、受け部３４の縁のうち貫通孔３５ａの軸方向に沿う一方の縁から上方に延びる。図１９及び図２０に示す例では、受け台１３は規制部３６ａを備えていない。
【００４５】
支持板２８は、下端部が受け台１３の受け部３４に設けられる。支持板２８は、受け部３４の縁から直立するように配置される。例えば、支持板２８は、受け部３４の縁のうち貫通孔３５ａの軸方向に沿うもう一方の縁から上方に延びる。図１９及び図２０に示す例では、受け台１３は規制部３６ｂを備えていない。
【００４６】
支持板２７及び支持板２８は、例えば互いに対向するように平行に配置される。押え板１６が図１９及び図２０に示すように押え板１７に固定されると、押え板１６の上部３７のうち受け部３４に上方から対向する部分が、支持板２７の下端部と支持板２８の下端部との間に配置される。嵩上げ装置１２は、このような構成を採用しても良い。
【００４７】
図２１及び図２２は、嵩上げ装置１２の他の例を示す図である。図２１は、図１３に相当する図である。図２２は、図１４に相当する図である。図２１及び図２２に示す例では、押え板１７が上枠７の下方で押え板１６に固定される。
【００４８】
押え板１６は、例えばコの字形状の板状の部材からなる。押え板１６は、端部が下方を向くように配置され、図１０に示す組み立て部分に上方から嵌められる。押え板１６は、受け部３４に上方から対向する。また、拘束具１４及び上枠７の双方が押え板１６によって両側から挟まれる。押え板１６の端部は、上枠７より下方に突出する。
【００４９】
押え板１７は、例えば押え板１６より小さいコの字形状の板状の部材からなる。押え板１７は、端部が下方を向くように配置され、押え板１６の開口を塞ぐように押え板１６の内側に配置される。押え板１７は、上枠７に下方から対向する。押え板１７は、ボルト１９及び２０とナット２１及び２２とを用いて押え板１６の端部に固定される。嵩上げ装置１２は、このような構成を採用しても良い。
【符号の説明】
【００５０】
１  かご、  ２  かご戸、  ３  駆動装置、  ４  かご枠、  ５  下枠、  ６  側枠、  ７  上枠、  ８  機器、  ９  手摺、  １０  既設支持具、  １０ａ  長孔、  １１  新設支持具、  １２  嵩上げ装置、  １３  受け台、  １４  拘束具、  １４ａ  貫通孔、  １４ｂ  貫通孔、  １５  拘束具、  １６  押え板、  １７  押え板、  １８  当て板、  １９  ボルト、  ２０  ボルト、  ２１  ナット、  ２２  ナット、  ２３  締結具、  ２４  ボルト、  ２５  ナット、  ２６  嵩上げ具、  ２７  支持板、  ２７ａ  取付孔、  ２８  支持板、  ２８ａ  取付孔、  ２９  支持台、  ３０  ボルト、  ３１  ボルト、  ３２  ナット、  ３３  ナット、  ３４  受け部、  ３５  脚部、  ３５ａ  貫通孔、  ３６ａ  規制部、  ３６ｂ  規制部、  ３７  上部、  ３８  下部、  ３９  中間部、  ４０  上部、  ４１  下部、  ４２  中間部、  ４３  目盛り
【図１】
0006515855.tif 000002
【図２】
0006515855.tif 000003
【図３】
0006515855.tif 000004
【図４】
0006515855.tif 000005
【図５】
0006515855.tif 000006
【図６】
0006515855.tif 000007
【図７】
0006515855.tif 000008
【図８】
0006515855.tif 000009
【図９】
0006515855.tif 000010
【図１０】
0006515855.tif 000011
【図１１】
0006515855.tif 000012
【図１２】
0006515855.tif 000013
【図１３】
0006515855.tif 000014
【図１４】
0006515855.tif 000015
【図１５】
0006515855.tif 000016
【図１６】
0006515855.tif 000017
【図１７】
0006515855.tif 000018
【図１８】
0006515855.tif 000019
【図１９】
0006515855.tif 000020
【図２０】
0006515855.tif 000021
【図２１】
0006515855.tif 000022
【図２２】
0006515855.tif 000023